【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
第１アナログ信号及び第２アナログ信号をそれぞれデジタルデータに変換するＡ／Ｄ変換器であって、
前記第１アナログ信号及び前記第２アナログ信号を順番に入力するための入力端子と、
第１キャパシタ及び第２キャパシタと、
基準電圧源に接続される基準電圧線と、
時間的に変化する参照信号を生成する信号源に接続される参照信号供給線と、
第１入力端子及び第２入力端子を有し、前記第１入力端子に供給された入力電圧と前記第２入力端子に供給された閾値電圧との比較結果に応じた出力信号を出力する比較器と、
前記比較器の前記第１入力端子に供給された入力電圧が変化し始めてから前記比較器の前記出力信号が変化するまでの時間に対応するデジタルデータを出力する出力回路と
を備え、
前記第１キャパシタを介して前記入力端子と前記基準電圧線とが接続された状態において前記入力端子に入力された前記第１アナログ信号は、前記第１キャパシタを介して前記参照信号供給線と前記比較器の前記第１入力端子とが接続された状態において前記参照信号供給線に前記参照信号が供給されることによってデジタルデータに変換され、
前記第２キャパシタを介して前記入力端子と前記基準電圧線とが接続された状態において前記入力端子に入力された前記第２アナログ信号は、前記第２キャパシタを介して前記参照信号供給線と前記比較器の前記第１入力端子とが接続された状態において前記参照信号供給線に前記参照信号が供給されることによってデジタルデータに変換される
ことを特徴とするＡ／Ｄ変換器。
【請求項２】
前記第１キャパシタを介して前記参照信号供給線と前記比較器の前記第１入力端子とが接続された状態において前記第２キャパシタを介して前記入力端子と前記基準電圧線とが接続されることを特徴とする請求項１に記載のＡ／Ｄ変換器。
【請求項３】
前記閾値電圧は前記基準電圧源が供給する基準電圧に前記比較器のオフセット電圧を加えた電圧であることを特徴とする請求項１又は２に記載のＡ／Ｄ変換器。
【請求項４】
前記比較器の前記第１入力端子と前記基準電圧線とを接続する第１スイッチと、
前記比較器の前記第２入力端子と前記比較器の出力端子とを接続する第２スイッチと、
前記比較器の前記第２入力端子に接続された第３キャパシタと
を更に備えることを特徴とする請求項１乃至３の何れか１項に記載のＡ／Ｄ変換器。
【請求項５】
前記閾値電圧は前記基準電圧が供給する基準電圧に等しいことを特徴とする請求項１又は２に記載のＡ／Ｄ変換器。
【請求項６】
前記参照信号はランプ信号であることを特徴とする請求項１乃至５の何れか１項に記載のＡ／Ｄ変換器。
【請求項７】
前記比較器の前記第１入力端子は非反転入力端子であり、前記比較器の前記第２入力端子は反転入力端子であることを特徴とする請求項１乃至６の何れか１項に記載のＡ／Ｄ変換器。
【請求項８】
請求項１乃至７の何れか１項に記載のＡ／Ｄ変換器と、
複数の画素を有し、それぞれの画素についてアナログ信号を生成するアナログ信号生成部と、
前記アナログ信号を前記Ａ／Ｄ変換器に供給して前記アナログ信号に対応するデジタルデータを出力させる制御部と
を備えることを特徴とする固体撮像装置。
【請求項９】
前記アナログ信号生成部が生成するアナログ信号は、光電変換により得られた電荷に依存する画素信号と、画素のリセット時のノイズ信号とを含み、
前記制御部は、前記複数の画素の第１画素の前記画素信号を前記第１アナログ信号として前記Ａ／Ｄ変換器に供給してデジタルデータを出力させ、前記複数の画素の第２画素の前記ノイズ信号を前記第２アナログ信号として前記Ａ／Ｄ変換器に供給してデジタルデータを出力させる
ことを特徴とする請求項８に記載の固体撮像装置。
【請求項１０】
前記アナログ信号生成部は、前記複数の画素からの信号を増幅する増幅回路を更に備え、
前記増幅回路は、前記複数の画素から供給された画素のリセットレベルの信号に基づいて前記ノイズ信号を生成し、光電変換により発生した電荷に応じた信号が前記リセットレベルの信号に重畳した信号に基づいて前記画素信号を生成する
ことを特徴とする請求項９に記載の固体撮像装置。
【請求項１１】
入力端子と、
第１キャパシタ及び第２キャパシタと、
基準電圧線と、
ランプ信号線と、
非反転入力端子及び反転入力端子を有する差動入力型の比較器と、
カウント値が供給され、前記比較器の出力信号が変化した時点で供給されている前記カウント値を出力するラッチ回路と、
前記第１キャパシタが前記入力端子と前記基準電圧線との間に接続された状態と前記第１キャパシタが前記ランプ信号線と前記比較器の前記非反転入力端子との間に接続された状態とを切り替えるスイッチ群と、
前記第２キャパシタが前記入力端子と前記基準電圧線との間に接続された状態と前記第２キャパシタが前記ランプ信号線と前記比較器の前記非反転入力端子との間に接続された状態とを切り替えるスイッチ群と
を備えることを特徴とするＡ／Ｄ変換器。
【請求項１２】
前記第１キャパシタを介して前記ランプ信号線と前記比較器の前記非反転入力端子とが接続された状態において前記第２キャパシタを介して前記入力端子と前記基準電圧線とが接続されることを特徴とする請求項１１に記載のＡ／Ｄ変換器。
【請求項１３】
第１アナログ信号及び第２アナログ信号を順番に入力するための入力端子と、
第１キャパシタ及び第２キャパシタと、
基準電圧源に接続される基準電圧線と、
時間的に変化する参照信号を生成する信号源に接続される参照信号供給線と、
第１入力端子及び第２入力端子を有し、前記第１入力端子に供給された入力電圧と前記第２入力端子に供給された閾値電圧との比較結果に応じた出力信号を出力する比較器と、
前記比較器の前記第１入力端子に供給された入力電圧が変化し始めてから前記比較器の前記出力信号が変化するまでの時間に対応するデジタルデータを出力する出力回路と、
前記第１キャパシタ及び前記第２キャパシタの接続先を切り替えるスイッチ群と
を備えるＡ／Ｄ変換器の制御方法であって、
前記第１キャパシタを介して前記入力端子と前記基準電圧線とが接続された状態において前記入力端子に前記第１アナログ信号を入力した後に、前記第１キャパシタを介して前記参照信号供給線と前記比較器の前記第１入力端子とが接続された状態において前記参照信号供給線に前記参照信号を供給する工程と、
前記第２キャパシタを介して前記入力端子と前記基準電圧線とが接続された状態において前記入力端子に前記第２アナログ信号を入力した後に、前記第２キャパシタを介して前記参照信号供給線と前記比較器の前記第１入力端子とが接続された状態において前記参照信号供給線に前記参照信号を供給する工程と、
を含むことを特徴とする制御方法。
【請求項１４】
前記第１キャパシタを介して前記参照信号供給線と前記比較器の前記第１入力端子とが接続された状態において前記第２キャパシタを介して前記入力端子と前記基準電圧線とが接続されることを特徴とする請求項１３に記載の制御方法。
【手続補正２】
【補正対象書類名】明細書
【補正対象項目名】０００５
【補正方法】変更
【補正の内容】
【０００５】
上記課題に鑑みて、本発明の第１側面は、第１アナログ信号及び第２アナログ信号をそれぞれデジタルデータに変換するＡ／Ｄ変換器であって、前記第１アナログ信号及び前記第２アナログ信号を順番に入力するための入力端子と、第１キャパシタ及び第２キャパシタと、基準電圧源に接続される基準電圧線と、時間的に変化する参照信号を生成する信号源に接続される参照信号供給線と、第１入力端子及び第２入力端子を有し、前記第１入力端子に供給された入力電圧と前記第２入力端子に供給された閾値電圧との比較結果に応じた出力信号を出力する比較器と、前記比較器の前記第１入力端子に供給された入力電圧が変化し始めてから前記比較器の前記出力信号が変化するまでの時間に対応するデジタルデータを出力する出力回路とを備え、前記第１キャパシタを介して前記入力端子と前記基準電圧線とが接続された状態において前記入力端子に入力された前記第１アナログ信号は、前記第１キャパシタを介して前記参照信号供給線と前記比較器の前記第１入力端子とが接続された状態において前記参照信号供給線に前記参照信号が供給されることによってデジタルデータに変換され、前記第２キャパシタを介して前記入力端子と前記基準電圧線とが接続された状態において前記入力端子に入力された前記第２アナログ信号は、前記第２キャパシタを介して前記参照信号供給線と前記比較器の前記第１入力端子とが接続された状態において前記参照信号供給線に前記参照信号が供給されることによってデジタルデータに変換されることを特徴とするＡ／Ｄ変換器を提供する。本発明の第２側面は、入力端子と、第１キャパシタ及び第２キャパシタと、基準電圧線と、ランプ信号線と、非反転入力端子及び反転入力端子を有する差動入力型の比較器と、カウント値が供給され、前記比較器の出力信号が変化した時点で供給されている前記カウント値を出力するラッチ回路と、前記第１キャパシタが前記入力端子と前記基準電圧線との間に接続された状態と前記第１キャパシタが前記ランプ信号線と前記比較器の前記非反転入力端子との間に接続された状態とを切り替えるスイッチ群と、前記第２キャパシタが前記入力端子と前記基準電圧線との間に接続された状態と前記第２キャパシタが前記ランプ信号線と前記比較器の前記非反転入力端子との間に接続された状態とを切り替えるスイッチ群とを備えることを特徴とするＡ／Ｄ変換器を提供する。本発明の第３側面は、第１アナログ信号及び第２アナログ信号を順番に入力するための入力端子と、第１キャパシタ及び第２キャパシタと、基準電圧源に接続される基準電圧線と、時間的に変化する参照信号を生成する信号源に接続される参照信号供給線と、第１入力端子及び第２入力端子を有し、前記第１入力端子に供給された入力電圧と前記第２入力端子に供給された閾値電圧との比較結果に応じた出力信号を出力する比較器と、前記比較器の前記第１入力端子に供給された入力電圧が変化し始めてから前記比較器の前記出力信号が変化するまでの時間に対応するデジタルデータを出力する出力回路と、前記第１キャパシタ及び前記第２キャパシタの接続先を切り替えるスイッチ群とを備えるＡ／Ｄ変換器の制御方法であって、前記第１キャパシタを介して前記入力端子と前記基準電圧線とが接続された状態において前記入力端子に前記第１アナログ信号を入力した後に、前記第１キャパシタを介して前記参照信号供給線と前記比較器の前記第１入力端子とが接続された状態において前記参照信号供給線に前記参照信号を供給する工程と、前記第２キャパシタを介して前記入力端子と前記基準電圧線とが接続された状態において前記入力端子に前記第２アナログ信号を入力した後に、前記第２キャパシタを介して前記参照信号供給線と前記比較器の前記第１入力端子とが接続された状態において前記参照信号供給線に前記参照信号を供給する工程とを含むことを特徴とする制御方法を提供する。